(57)【要約】【課題】防臭機構部内の便皿に異常が発生した際に補修を容易に行える簡易水洗便器の排出管用接続部材を提供すること。【解決手段】上下同軸線上で一体状の防臭機構部２と床取付け部３からなり、防臭機構部２は、ケース４内における便通過口部５の直上に、便器１３底部の便落ち口部１４が着脱可能に嵌合・密着可能な弾性部材製上接続口部６を、便通過口部５の下方に、枢軸７を支点として揺動して便通過口部を開閉自在で且つ枢軸７を境に形成してある一方の便受け部８ａが便通過口部５を閉じた状態に他方のバランス錘部８ｂで付勢されている便皿８を、それぞれ設け、床取付け部３は、便通過口部５の直下に位置する弾性部材製下接続口部１０を床下側の排出管１５上端の口縁に挿着可能に垂設してある。【選択図】　図１
2004052363.tif 000002
【特許請求の範囲】
【請求項１】
上下同軸線上で一体状の防臭機構部と床取付け部からなり、
前記防臭機構部は、ケース内における便通過口部の直上に、便器底部の便落ち口部が着脱可能に嵌合・密着可能な弾性部材製上接続口部を、前記便通過口部の下方に、枢軸を支点として揺動して便通過口部を開閉自在で且つ前記枢軸を境に形成してある一方の便受け部が便通過口部を閉じた状態に他方のバランス錘部で付勢されている便皿を、それぞれ設け、
前記床取付け部は、前記便通過口部の直下に位置する弾性部材製下接続口部を床下側の排出管上端の口縁に挿着可能に垂設してあることを特徴とする簡易水洗便器の排出管用接続部材。
【発明の詳細な説明】
【０００１】
【発明の属する技術分野】
本発明は簡易水洗便器の排出管用接続部材に関し、さらに詳しくは、床上側の簡易水洗便器と床下側の排出管とを接続するのに有用な接続部材に関する。
【０００２】
【従来の技術】
簡易水洗便器は、便器本体のスカート部内に、便落ち口部を封水することで臭いを断つ封水機構が内蔵されており、予め床面まで配管されている床下側の排出管に床上側から接続具を着け、便器を設置する方式であった。
ところで、封水機構における便皿をワイヤーやロッド等の作動機構を介在して開閉操作し、防臭する強制開閉弁方式のものでは、便器本体と封水機構を分離させて、設置現場で組み立てるのは精度上の問題等があって困難である。
一方、便皿の開閉操作が便皿自体のバランスによって行なわれるように自動化してあるバランス便皿方式のものにおいては、現在は製造工場で便器に組み付けて内蔵させており、この組み立てに際しては、漏水防止に万全を期すため、便器本体にバランス便皿方式の防臭機構部を接着して一体に結合している。
そして、床面位置での床下側の排出管との接続は、床取付け部の下接続口部を排出管内部に挿入して接着又はコーキングして、床にビス止め固定した上で、便器の下面に突出している防臭機構部下端の接続口部を床取付け部のフランジ開口部にゴムパッキングを経て差し込み、かかる接続状態に、床取付けフランジ部から突出して便器本体下縁の床取付けボルト穴より貫出しているボルトにナットを締め付けることで、固定して据え付けていた。
したがって、便器を外すときは、床面から便器を持ち上げて外すことになり、防臭機構部に異常があって修理する時には、便器全体を取り外し、その上で、便器本体に接着又はコーキングされた防臭機構部を取り外さなければならず、作業手間が多くて労力的にも大変である。
【０００３】
【発明が解決しようとする課題】
解決しようとする課題は、便器の取り付けおよび取り外しが簡単で、防臭機構部内の便皿に異常が発生した際に補修を容易に行える簡易水洗便器の排出管用接続部材を提供することにある。
【０００４】
【課題を解決するための手段】
本発明は前記した課題を達成するため、上下同軸線上で一体状の防臭機構部と床取付け部からなり、前記防臭機構部は、ケース内における便通過口部の直上に、便器底部の便落ち口部が着脱可能に嵌合・密着可能な弾性部材製上接続口部を、前記便通過口部の下方に、枢軸を支点として揺動して便通過口部を開閉自在で且つ前記枢軸を境に形成してある一方の便受け部が便通過口部を閉じた状態に他方のバランス錘部で付勢されている便皿を、それぞれ設け、前記床取付け部は、前記便通過口部の直下に位置する弾性部材製下接続口部を床下側の排出管上端の口縁に挿着可能に垂設してあることを特徴とする。
【０００５】
本発明における上下同軸線状で一体状の防臭機構部と床取付け部は、該両部が金型により一体成形されている態様のものであっても良いし、別体の該両部が接着或いはビス止め等により結合されている接合関係の態様のものでも良く、さらには、別体の該両部が着脱可能な接続関係の態様のものであっても良い。そして、防臭機構部の便通過口部と床取付け部の下接続口部が上下に同軸線上に一致していれば良い。
【０００６】
【発明の実施の形態】
図１〜図４には本発明の簡易水洗便器の排出管用接続部材における実施の１形態を例示しており、接続部材１は、上下同軸線上の防臭機構部２と床取付け部３からなり、この上位の防臭機構部２と下位の床取付け部３は上下一体に成形してある。
【０００７】
防臭機構部２は、ケース４内における便通過口部５の直上に、後で説明する便器１３底部の便落ち口部１４が密着状に嵌合可能な弾性部材製上接続口部６を形成してあると共に、便通過口部５の下方に、枢軸７を支点として揺動して便通過口部５を開閉自在で且つ枢軸７を境に形成してある一方の便受け部８ａが便通過口部５を閉じた状態に他方のバランス錘部８ｂで付勢されている便皿８を設けてある。
【０００８】
ケース４は、便皿８が開閉動作可能な内部空間９を有するケース本体４ａと、内部空間９まで達する高さの便通過口部５を垂設している上ケース４ｂとに分割成形してある。ケース本体４ａ上縁の開口部４ｃには上ケース４ｂが着脱可能に嵌着されており、開口部４ｃの当接フランジ４ｄと上ケース４ｂの当接フランジ４ｅ間にはゴムパッキング４ｆが配設されて防水されている。そして、開口部４ｃ上縁の左右凹部４ｇには上ケース４ｂの左右凸部４ｈが嵌合していて、この凹部４ｇと凸部４ｈとの間に形成された軸受部４ｉには便皿８の枢軸７が枢着されている。また、ケース本体４ａ下位にはフランジ状床取付け部３を設けると共に、ケース本体４ａの下端には下接続口部１０を、便通過口部５の直下に位置するように垂設している。この下接続口部１０は、ゴムパッキング等の弾性部材製のもので、後で説明する床下側の排出管１５上端の管内面に密着状に挿着可能に形成してある。また下接続口部１０には蛆返し１１が配設されている。
【０００９】
上ケース４ｂは、上側へ突出状の環状突部４ｊに上接続口部６を着脱・交換可能に取り付けてある。この上接続口部６は、ゴムパッキング等の弾性部材製のもので、環状突部４ｊに取り付けられる環状取付け部６ａ内周縁から内側斜め下方に伸びる口部６ｂ内面には、上下平行状の環状鍔部６ｃを斜め下方に向けて周設してあり、口部６ｂに便器１３底部の便落ち口部１４が嵌合した際に、便落ち口部１４外周面に口部６ｂそして環状鍔部６ｃがともに密着することで、確実に防水および防臭関係が得られるようにしてある。また、上ケース４ｂには左右のストッパー１２を、閉じ状態の便受け部８ａ上縁と対向させて垂設してある。このストッパー１２はゴム等の弾性部材製で、便皿８が閉動して便通過口部５に当接する直前に、便受け部８ａ上縁と弾性的に接触することで、閉口時における衝撃を緩和して先浄水等が飛散しないようにしてある。
【００１０】
次に、本発明の接続部材における使用の一例を、前記した図１の態様のもので説明する。（図５および図６参照）
第１工程
排出管１５がのぞき出ている床面１６に接続部材１を設置する。先ず、下接続口部１０を床上から排出管１５に挿着し、続いて、床取付け部３を床面１６にネジ１９で止めて取付け固定する。
第２工程
固定した接続部材１上に便器１３を被せるようにして、便器底部の便落ち口部１４を上接続口部６に密着状に嵌合する。
第３工程
床取付け部３から垂直に起立して、便器１３下縁のボルト穴１３ａより貫出しているボルト１７に袋ナット１８を締め付けることで、便器１３を床面１６に固定状に据え付ける。
【００１１】
かかる便器１３の据え付け状態では、便器底部の便落ち口部１４が上接続口部６に着脱可能に密着状に嵌合している。そして、この据え付け状態を解除するには、ナット１８を緩めて外して、便器１３を上方へ持ち上げることにより、上接続口部６から便器底部の便落ち口部１４が抜けて外れる。
そして、便器１３が外された接続部材１は、上ケース４ｂを外すことで、ケース本体４ａ内の便皿８を点検可能である。
【００１２】
【発明の効果】
Ａ．請求項１により、床に接続部材の床取付け部を先に取り付け、この接続部材上から便器を被せて、便器底部の便落ち口部を上接続口部に密着状に弾性嵌合するだけで済むので、便器の取り付け及び取り外しが簡単で、防臭機構部内の便皿に異常が発生した際に補修を容易に行うことができる。
【図面の簡単な説明】
【図１】本発明の簡易水洗便器の排出管用接続部材における実施の１形態を例示している縦断面図。
【図２】部分拡大縦断面図。
【図３】部分拡大縦断面図。
【図４】分解して示す縦断面図。
【図５】簡易水洗便器とともに床面に組み付けた状態の縦断面図。
【図６】部分拡大縦断面図。
【符号の説明】
１　接続部材
２　防臭機構部
３　床取付け部
４　ケース
４ａ　ケース本体
４ｂ　上ケース
４ｃ　開口部
４ｄ、４ｅ　当接フランジ
４ｆ　ゴムパッキング
４ｇ　左右凹部
４ｈ　左右凸部
４ｉ　軸受け部
４ｊ　環状突部
５　便通過口部
６　上接続口部
６ａ　環状取付け部
６ｂ　口部
６ｃ　環状鍔部
７　枢軸
８　便皿
８ａ　便受け部
８ｂ　バランス錘部
９　内部空間
１０　下接続口部
１１　蛆返し
１２　ストッパー
１３　便器
１３ａ　ボルト穴
１４　便落ち口部
１５　排出管
１６　床面
１７　ボルト
１８　袋ナット
１９　ネジ
【図１】
2004052363.tif 000003
【図２】
2004052363.tif 000004
【図３】
2004052363.tif 000005
【図４】
2004052363.tif 000006
【図５】
2004052363.tif 000007
【図６】
2004052363.tif 000008